(57)【要約】【課題】現場において埋設物の情報を入手するユーザの利便性を向上する。【解決手段】ユーザから杭情報のリードの指示があると、携帯端末２は、位置表示杭１より杭情報をリードし、杭情報に含まれる埋設物の有無情報などの無料情報を表示部２４に表示する。また、ユーザから詳細情報取得の指示があったならば、センタシステム５にアクセスし、読み込んだ杭情報に含まれる杭識別子を含めた詳細情報取得要求を発行する。センタシステム５は、埋設物データベース５２から、詳細情報取得要求に含まれる杭識別子を持つ埋設物データレコードを検索し詳細情報として携帯端末２に送信すると共に携帯端末２のユーザに対する課金処理を行う。詳細情報を受け取った携帯端末２は、詳細情報が示す埋設物の埋設状況を表示部２４に表示する。【選択図】図１
2006106308.tif 000002
【特許請求の範囲】
【請求項１】
道路沿いの各所に各々設置される位置表示器と、ユーザによって携帯される端末装置と、前記端末装置と無線通信を介して通信可能なセンタ装置とを有し、
前記位置表示器は、当該位置表示器を特定するための識別情報が記憶されている、非接触で記憶情報を読み出し可能な記憶装置を備え、
前記端末装置は、前記位置表示器の記憶装置から非接触で前記識別情報を読み出す情報読み出し手段と、前記情報読み出し手段が読み出した識別情報を含む埋設物情報要求を、前記センタ装置に前記無線通信を介して発行し、当該埋設物情報要求の応答として返信された埋設物情報を受信する埋設物情報取得手段と、埋設物情報表示手段とを有し、
前記センタ装置は、前記端末装置から前記無線通信を介して受信した埋設物情報要求に応答して、当該埋設物情報要求に含まれる識別情報が示す位置表示器が設置された地点を通る道路横断面上の各埋設物の配置位置を、当該道路横断面上の地表高さにある所定の基準位置に対する水平方向距離を表す数値と、地表高さに対する各埋設物の垂直方向距離を示す数値とを用いて表した埋設物情報を、当該埋設物情報要求発行元の端末装置に前記無線通信を介して送信する埋設物情報提供手段を有し、
前記端末装置の埋設物情報表示手段は、前記埋設物情報取得手段が受信した埋設物情報に基づいて、前記基準位置を表す図形と地表面を表す図形と当該道路横断面上に存在する埋設物を表す図形を、前記基準位置と前記地表面と各埋設物の上下左右の位置関係に従って配置した、前記情報読み出し手段が識別情報を読み出した位置表示器が設置された地点を通る道路横断面の模式図を生成し、表示することを特徴とする埋設物情報提供システム。
【請求項２】
各所に各々設置される位置表示器と、ユーザによって携帯される端末装置と、前記端末装置と無線通信を介して通信可能なセンタ装置とを有し、
前記位置表示器は、当該位置表示器を特定するための識別情報と、無料でユーザに提供される当該位置表示器周辺についての情報である無料情報とが記憶されている、非接触で記憶情報を読み出し可能な記憶装置を備え、
前記端末装置は、前記位置表示器の記憶装置から非接触で前記識別情報と前記無料情報とを読み出す情報読み出し手段と、前記情報読み出し手段が読み出した無料情報をユーザに対して提示する情報提示手段と、ユーザの指示に応じて、前記情報読み出し手段が読み出した識別情報を含む有料情報要求を、前記センタ装置に前記無線通信を介して発行し、当該有料情報要求の応答として返信された有料情報を受信する有料情報取得手段と、前記有料情報取得手段が取得した有料情報をユーザに対して提示する有料情報提示手段とを有し、
前記センタ装置は、前記端末装置から前記無線通信を介して受信した有料情報要求に応答して、有料でユーザに提供する、当該有料情報要求に含まれる識別情報が示す位置表示器が設置された地点周辺についての、当該位置表示器の記憶装置に記憶されている前記無料情報と異なる内容を持つ情報である有料情報を、当該有料情報要求発行元の端末装置に前記無線通信を介して送信する有料情報提供手段と、前記有料情報を送信した前記端末装置または当該端末装置のユーザに対して課金する課金処理手段とを有することを特徴とする情報提供システム。
【請求項３】
各所に各々設置される位置表示器と、ユーザによって携帯される端末装置と、前記端末装置と無線通信を介して通信可能なセンタ装置とを有し、
前記位置表示器は、当該位置表示器を特定するための識別情報が記憶されている、非接触で記憶情報を読み出し可能な記憶装置を備え、
前記端末装置は、前記位置表示器の記憶装置から非接触で前記識別情報を読み出す情報読み出し手段と、前記情報読み出し手段が読み出した識別情報を含む地理情報要求を、前記センタ装置に前記無線通信を介して発行し、当該情報要求の応答として返信された地理情報を受信する地理情報取得手段と、前記地理情報取得手段が取得した地理情報をユーザに対して提示する地理情報提示手段と、ユーザ操作に応じて、前記情報読み出し手段が読み出した識別情報を含む地理情報修正要求を前記センタ装置に前記無線通信を介して発行する地理情報修正要求手段とを有し、
前記センタ装置は、前記端末装置から前記無線通信を介して受信した地理情報修正要求に応答して、当該地理情報修正要求に含まれる識別情報が示す位置表示器に対して要修正可能性有フラグを登録する修正管理手段と、前記端末装置から前記無線通信を介して受信した地理情報要求に応答して、当該地理情報要求に含まれる識別情報が示す位置表示器が設置された地点周辺についての地理情報を、当該地理情報要求発行元の端末装置に前記無線通信を介して送信する地理情報提供手段とを有し、
前記センタ装置の前記地理情報提供手段は、前記端末装置から前記無線通信を介して受信した地理情報要求に含まれる識別情報が示す位置表示器に対して要修正可能性有フラグが登録されている場合には、前記地理情報と共に、当該地理情報が現況と一致していない可能性のある旨を、当該地理情報要求発行元の端末装置に通知し、
前記端末装置の、地理情報提示手段は、前記地理情報と共に、当該地理情報が現況と一致していない可能性のある旨が通知された場合に、ユーザに対して表示した地理情報が現況と一致していない可能性のある旨を、当該地理情報と共に、ユーザに対して表示することを特徴とする情報提供システム。
【請求項４】
各所に各々設置される位置表示器と、ユーザによって携帯される端末装置と、前記端末装置と無線通信を介して通信可能なセンタ装置とを有し、
前記位置表示器は、当該位置表示器を特定するための識別情報と、当該位置表示器周辺についての情報である第１情報とが記憶されている、非接触で記憶情報を読み書き可能な記憶装置を備え、
前記端末装置は、前記位置表示器の記憶装置から非接触で前記識別情報と前記第１情報とを読み出す情報読み出し手段と、前記情報読み出し手段が読み出した第１情報をユーザに対して提示する情報提示手段と、ユーザの指示に応じて、前記情報読み出し手段が読み出した識別情報を含む第２情報要求を、前記センタ装置に前記無線通信を介して発行し、当該第２情報要求の応答として返信された第２情報を受信する第２情報取得手段と、前記第２情報取得手段が取得した第２情報をユーザに対して提示する第２情報提示手段と、前記センタ装置から前記第１情報の更新を要求された場合に、前記識別情報を読み出した位置表示器の記憶装置に記憶されている前記第１情報の更新を行う第１情報更新手段とを有し、
前記センタ装置は、前記記憶装置に記憶されている第１情報の更新が必要な位置表示器に対応づけられた、当該第１情報を更新するための更新情報が登録される更新情報記憶手段と、前記端末装置から前記無線通信を介して受信した第２情報要求に応答して、当該第２情報要求に含まれる識別情報が示す位置表示器が設置された地点周辺についての、当該位置表示器の記憶装置に記憶されている前記第１情報と異なる内容を持つ情報である第２情報を、当該第２情報要求発行元の端末装置に前記無線通信を介して送信する第２情報提供手段と、前記端末装置から前記無線通信を介して受信した第２情報要求に含まれる識別情報が示す位置表示器に対応づけられた前記更新情報が前記更新情報記憶手段に登録されている場合に、当該更新情報への第１情報の更新の要求を当該第２情報要求発行元の端末装置に発行すると共に、前記更新情報記憶手段の当該位置表示器に対応づけられた更新情報の登録を解除する第１情報更新要求手段とを有することを特徴とする情報提供システム。
【発明の詳細な説明】
【技術分野】
【０００１】
本発明は、水道管や下水管や電力線などの地中に埋設される埋設物の情報などの地域性のある情報を、当該地域にいるユーザに提供する情報提供システムに関するものである。
【背景技術】
【０００２】
地域性のある情報を、当該地域現場にいるユーザに提供する技術としては、水道管や下水管や電力線などの地中に埋設される埋設物の情報を、埋設物が埋設されている現場にいるユーザに提供する技術が知られている（たとえば、特許文献１）。
この技術では、予め非接触で記録情報を読み取り可能なＩＣを内蔵させた杭状の位置表示器を各所に地盤に打ち込んだ形態で配置する。そして、当該位置表示器周辺の埋設物の情報を得ようとするユーザは、所定の携帯型の端末によって位置表示器の記憶装置から当該位置表示器の識別子を読み取り、この識別子を含む情報要求を携帯電話機などである無線通信装置を用いて所定の情報センタに送信する。情報センタでは、予め登録された位置表示器の配置情報に基づいて、情報要求に含まれる識別子を持つ位置表示器の配置位置を判別し、判別した位置表示器配置位置周辺の、地下埋設物の配置の表示を含む二次元の地図を返信すると共に、情報要求元に課金する。そして、二次元の地図を無線通信装置を介して返信された端末において返信された二次元の地図を表示する。
【０００３】
なお、このような非接触で記録情報を読み取り可能な記憶装置を内蔵させた杭状の位置表示器については、特許文献２などにも示されている。
【特許文献１】特開2003-122249号
【特許文献２】特許2876389号
【発明の開示】
【発明が解決しようとする課題】
【０００４】
前記従来の埋設物の情報を、埋設物が埋設されている現場にいるユーザに提供する技術には以下の点で問題がある。
まず、情報センタから提供される情報が、地下埋設物の配置の表示を含む二次元の地図であるために、埋設物の深さ方向の配置をユーザが把握することができない。また、現場において、埋設物の位置を特定するためには、地図上と現地の双方で同一地点として識別できる地点を基準点として見つけ出した上で、地図から基準点に対する埋設物の相対位置を読み取り、読み取った相対位置に対応する地点を、現地の基準点に対する測量等によって求める必要がある。すなわち、現場において、情報センタから提供された地図から、埋設物の位置を簡易に特定することは困難であり、ユーザにとっての利便性が充分とは言えない。また、地図の情報量は比較的大きいため、このような地図を提供することは、システムにとっての各種負担や、ユーザにとっての通信料等の負担が大きくなる。
【０００５】
また、前記従来の埋設物の情報を、埋設物が埋設されている現場にいるユーザに提供する技術によれば、現場のユーザが埋設物の情報を必要とする場合、必ず、情報センタに通信を介してアクセスして地図情報を取得する必要がある。すなわち、現場のユーザが埋設物の情報を取得しようとすると、取得しようとする情報がどのようなものであれ、また、情報センタから提供される情報がどのようなものであれ、必ず、当該ユーザに対して課金が行われることになる。
【０００６】
しかしながら、このように常に通信の必要が生じることは、情報センタやユーザの負担を増大し、ユーザの利便性を損なうことになる。また、このように常にユーザに対する課金が行われることは、ユーザの負担を増大してユーザの利便性を損なうと共に、システム利用の普及の妨げともなる。
【０００７】
そこで、本発明は、地域性のある情報を当該地域にいるユーザに提供する情報提供システムの、ユーザにとっての利便性を向上することを課題とする。
【課題を解決するための手段】
【０００８】
前記課題達成のために、本発明は、道路沿い各所に各々設置される位置表示器と、ユーザによって携帯される端末装置と、前記端末装置と無線通信を介して通信可能なセンタ装置とを備えた埋設物情報提供システムを提供する。ここで、この埋設物情報提供システムにおいて、前記位置表示器は、当該位置表示器を特定するための識別情報が記憶されている、非接触で記憶情報を読み出し可能な記憶装置を備ており、前記端末装置は、前記位置表示器の記憶装置から非接触で前記識別情報を読み出す情報読み出し手段と、前記情報読み出し手段が読み出した識別情報を含む埋設物情報要求を、前記センタ装置に前記無線通信を介して発行し、当該埋設物情報要求の応答として返信された埋設物情報を受信する埋設物情報取得手段と、埋設物情報表示手段とを備えており、前記センタ装置は、前記端末装置から前記無線通信を介して受信した埋設物情報要求に応答して、当該埋設物情報要求に含まれる識別情報が示す位置表示器が設置された地点を通る道路横断面上の各埋設物の配置位置を、当該道路横断面上の地表高さにある所定の基準位置に対する水平方向距離を表す数値と、地表高さに対する各埋設物の垂直方向距離を示す数値を用いて表した埋設物情報を、当該埋設物情報要求発行元の端末装置に前記無線通信を介して送信する埋設物情報提供手段を備えている。そして、前記端末装置の埋設物情報表示手段は、前記埋設物情報取得手段が受信した埋設物情報に基づいて、前記基準位置を表す図形と地表面を表す図形と当該道路横断面上に存在する埋設物を表す図形を、前記基準位置と前記地表面と各埋設物の上下左右の位置関係に従って配置した、前記情報読み出し手段が識別情報を読み出した位置表示器が設置された地点を通る道路横断面の模式図を生成して表示するものである。
【０００９】
このような埋設物情報提供システムによれば、センタ装置から通信を介して、ユーザの所持する端末装置に提供される埋設物の状況を表す埋設物情報は、数値を用いて、位置表示器設置地点を通る道路横断面上の埋設物の配置を示す情報である。したがって、センタ装置と端末装置との間で送受信する通信量を小さく抑え、ユーザにとっての通信時間や通信費用の負担や、センタ装置にとっての大容量のデータを扱う負担を軽減することができるようになる。一方で、端末装置では、このようにセンタ装置から受信した埋設物情報に基づいて、前記基準位置を表す図形と地表面を表す図形と当該道路横断面上に存在する埋設物を表す図形を、前記基準位置と前記地表面と各埋設物の上下左右の位置関係に従って配置した位置表示器設置地点を通る道路横断面の模式図を生成して表示するので、ユーザは、この模式図より、位置表示器設置地点を通る道路横断面上の所定の基準位置（たとえば、官民境）を基準として、直ちに現実の埋設物の位置を特定把握することができるようになる。
【００１０】
また、前記課題達成のために、本発明は、各所に各々設置される位置表示器と、ユーザによって携帯される端末装置と、前記端末装置と無線通信を介して通信可能なセンタ装置とを備えた第１の情報提供システムを提供する。ここで、この第１の情報提供システムにおいて、前記位置表示器は、当該位置表示器を特定するための識別情報と、無料でユーザに提供される当該位置表示器周辺についての情報である無料情報とが記憶されている、非接触で記憶情報を読み出し可能な記憶装置を備えており、前記端末装置は、前記位置表示器の記憶装置から非接触で前記識別情報と前記無料情報とを読み出す情報読み出し手段と、前記情報読み出し手段が読み出した無料情報をユーザに対して提示する情報提示手段と、ユーザの指示に応じて、前記情報読み出し手段が読み出した識別情報を含む有料情報要求を、前記センタ装置に前記無線通信を介して発行し、当該有料情報要求の応答として返信された有料情報を受信する有料情報取得手段と、前記有料情報取得手段が取得した有料情報をユーザに対して提示する有料情報提示手段とを備えており、前記センタ装置は、前記端末装置から前記無線通信を介して受信した有料情報要求に応答して、有料でユーザに提供する、当該有料情報要求に含まれる識別情報が示す位置表示器が設置された地点周辺についての、当該位置表示器の記憶装置に記憶されている前記無料情報と異なる内容を持つ情報である有料情報を、当該有料情報要求発行元の端末装置に前記無線通信を介して送信する有料情報提供手段と、前記有料情報を送信した前記端末装置または当該端末装置のユーザに対して課金する課金処理手段とを備えている。
【００１１】
このような第１の情報提供システムによれば、前記無料情報のみで必要が足りるユーザは、位置表示器から直接この無料情報の提供を受けることができるので、一々センタ装置にアクセスする必要がない。一方で、さらなる情報が必要なユーザはセンタ装置にアクセスして、前記有料情報を取得することができる。そして、このように、一定の情報については無料情報として、ユーザの費用負担無しに、センタ装置の処理負荷が生じない形態で、ユーザに提供することにより、センタ装置の運用コストを増大することなしに、ユーザのシステムの利用を誘因して、その普及を図ることができるようになる。
【００１２】
また、前記課題達成のために、本発明は、各所に各々設置される位置表示器と、ユーザによって携帯される端末装置と、前記端末装置と無線通信を介して通信可能なセンタ装置とを有する第２の情報提供システムを提供する。ここで、この第２の情報提供システムにおいて、前記位置表示器は、当該位置表示器を特定するための識別情報が記憶されている、非接触で記憶情報を読み出し可能な記憶装置を備え、前記端末装置は、前記位置表示器の記憶装置から非接触で前記識別情報を読み出す情報読み出し手段と、前記情報読み出し手段が読み出した識別情報を含む地理情報要求を、前記センタ装置に前記無線通信を介して発行し、当該情報要求の応答として返信された地理情報を受信する地理情報取得手段と、前記地理情報取得手段が取得した地理情報をユーザに対して提示する地理情報提示手段と、ユーザ操作に応じて、前記情報読み出し手段が読み出した識別情報を含む地理情報修正要求を前記センタ装置に前記無線通信を介して発行する地理情報修正要求手段とを備え、前記センタ装置は、前記端末装置から前記無線通信を介して受信した地理情報修正要求に応答して、当該地理情報修正要求に含まれる識別情報が示す位置表示器に対して要修正可能性有フラグを登録する修正管理手段と、前記端末装置から前記無線通信を介して受信した地理情報要求に応答して、当該地理情報要求に含まれる識別情報が示す位置表示器が設置された地点周辺についての地理情報を、当該地理情報要求発行元の端末装置に前記無線通信を介して送信する地理情報提供手段とを備えている。そして、前記センタ装置の前記地理情報提供手段は、前記端末装置から前記無線通信を介して受信した地理情報要求に含まれる識別情報が示す位置表示器に対して要修正可能性有フラグが登録されている場合には、前記地理情報と共に、当該地理情報が現況と一致していない可能性のある旨を、当該地理情報要求発行元の端末装置に通知し、前記端末装置の、地理情報提示手段は、前記地理情報と共に、当該地理情報が現況と一致していない可能性のある旨が通知された場合に、ユーザに対して表示した地理情報が現況と一致していない可能性のある旨を、当該地理情報と共に、ユーザに対して表示する。
【００１３】
このような第２の情報提供システムによれば、たとえば、その周辺の地理情報としてセンタ装置から提供される内容を変更すべき現況の改変が現場で行われた場合に、その現場において、ユーザが端末装置を用いて位置表示器の識別情報を読み込んで、地理情報修正要求を前記センタ装置に発行させれば、以降、この位置表示器の識別情報を含む地理情報要求に対して、センタ装置から当該位置表示器周辺の地理情報と共に、当該地理情報が現況と一致していない可能性のある旨が通知される。
【００１４】
したがって、現況が地理情報が示す内容と異なる状況に変化した後に、当該変化がセンタ装置に反映されるまでの間において、センタ装置から提供される地理情報が現況を正しく示すものと、ユーザが誤って認識してしまうことを排除することができる。
また、さらに、本発明は、各所に各々設置される位置表示器と、ユーザによって携帯される端末装置と、前記端末装置と無線通信を介して通信可能なセンタ装置とを有する第３の情報提供システムを提供する。ここで、この第３の情報提供システムにおいて、前記位置表示器は、当該位置表示器を特定するための識別情報と、当該位置表示器周辺についての情報である第１情報とが記憶されている、非接触で記憶情報を読み書き可能な記憶装置を備え、前記端末装置は、前記位置表示器の記憶装置から非接触で前記識別情報と前記第１情報とを読み出す情報読み出し手段と、前記情報読み出し手段が読み出した第１情報をユーザに対して提示する情報提示手段と、ユーザの指示に応じて、前記情報読み出し手段が読み出した識別情報を含む第２情報要求を、前記センタ装置に前記無線通信を介して発行し、当該第２情報要求の応答として返信された第２情報を受信する第２情報取得手段と、前記第２情報取得手段が取得した第２情報をユーザに対して提示する第２情報提示手段と、前記センタ装置から前記第１情報の更新を要求された場合に、前記識別情報を読み出した位置表示器の記憶装置に記憶されている前記第１情報の更新を行う第１情報更新手段とを備え、前記センタ装置は、前記記憶装置に記憶されている第１情報の更新が必要な位置表示器に対応づけられた、当該第１情報を更新するための更新情報が登録される更新情報記憶手段と、前記端末装置から前記無線通信を介して受信した第２情報要求に応答して、当該第２情報要求に含まれる識別情報が示す位置表示器が設置された地点周辺についての、当該位置表示器の記憶装置に記憶されている前記第１情報と異なる内容を持つ情報である第２情報を、当該第２情報要求発行元の端末装置に前記無線通信を介して送信する第２情報提供手段と、前記端末装置から前記無線通信を介して受信した第２情報要求に含まれる識別情報が示す位置表示器に対応づけられた前記更新情報が前記更新情報記憶手段に登録されている場合に、当該更新情報への第１情報の更新の要求を当該第２情報要求発行元の端末装置に発行すると共に、前記更新情報記憶手段の当該位置表示器に対応づけられた更新情報の登録を解除する第１情報更新要求手段とを備えている。
【００１５】
このような第３の情報提供システムによれば、位置表示器からユーザに直接、位置表示器周辺の第１の情報を提供することができる他、ユーザからの要求に応じて、センタ装置からもユーザに位置表示器周辺の第２の情報を提供する。そして、この第２の情報の提供の機会を利用して、位置表示器からユーザに提供する第１の情報を、センタ装置からリモートで更新することもできる。
【発明の効果】
【００１６】
以上のように、本発明によれば、地域性のある情報を当該地域にいるユーザに提供する情報提供システムの、ユーザにとっての利便性を向上することができる。
【発明を実施するための最良の形態】
【００１７】
以下、本発明に係る埋設物情報提供システムの一実施形態について説明する。
図１ａに、埋設物情報提供システムの構成を示す。
図示するように、埋設物情報提供システムは、図１ｂに示すように所定の間隔（図１ｂでは２０ｍ間隔）で道路沿い（図１ｂでは官民境沿い）に地面に打ち込まれた形態で配置された位置表示杭１と、現場のユーザによって携帯される携帯端末２と移動電話機３のセット、移動電話機３を無線通信を介して収容するＷＡＮ４、移動電話機３とＷＡＮ４を介して携帯端末２がアクセス可能なセンタシステム５とを含んで構成される。
【００１８】
ここで、移動電話機３はたとえば携帯電話機などであってよく、この場合、ＷＡＮ４は携帯電話機を収容する公衆移動電話網と携帯電話機が公衆移動電話網を介して接続可能なインターネットなどより構成されるものであってよい。
次に、図２に、位置表示杭１、携帯端末２、センタシステム５の内部構成を示す。
図示するように位置表示杭１は、杭状の部材であり、頭部に、ＩＣタグやＲＦＩＤなどとして知られる非接触で給電及び記録情報にリード／ライトアクセス可能な記憶装置１１が収容されている。そして、この記憶装置１１には、後述する杭情報が記憶される。
次に、携帯端末２は、位置表示杭１の記憶装置１１への給電と、位置表示杭１の記憶装置１１との間の通信を行うためのアンテナ２１、アンテナ２１を駆動する送受信部２２、送受信部２２やアンテナ２１を介して、位置表示杭１の記憶装置１１に記憶された杭情報へのリード／ライトアクセス処理を行う記憶装置ドライバ２３、ＬＣＤなどである表示部２４、ユーザ操作を受け付ける入力部２５、センタシステム５からの埋設物情報の取得処理などを行うデータ取得クライアント２６、センタシステム５から取得した埋設物情報の表示部２４への提示などの処理を行う埋設物データ処理部２７、移動電話機３とIrDAなどの赤外線を用いた近距離無線通信やBlueroothなどの電波を用いた近距離無線通信によって通信を行うための近距離無線通信部２８とを備えている。
【００１９】
そして、センタシステム５は、ＷＡＮ４を介して通信を行うための通信装置５１、各地の埋設物の情報である埋設物データを蓄積した埋設物データベース５２、携帯端末２からの要求に応じて埋設物データベース５２に蓄積されている埋設物データを提供する埋設物データサーバ５３、埋設物データベース５２に蓄積されている埋設物データの編集更新を行う埋設物データ更新処理部５４、埋設物データサーバ５３が埋設物データを提供した携帯端末２のユーザに対する課金処理を行う課金処理部５５を備えている。
【００２０】
次に、位置表示杭１の記憶装置１１に記憶される杭情報の内容を図３ａに示す。
図示するように、位置表示杭１の記憶装置１１に記憶される杭情報は、位置表示杭１の識別子である杭識別子、位置表示杭１が配置された道路の識別子である道路識別子、位置表示杭１が配置された地点の道路の主点（基準点）からの距離を表す距離程、位置表示杭１が配置された地点の緯度、経度、標高、無料情報、変更フラグを含む。なお、変更フラグはオンとオフの値をとることができ、その位置表示杭設置時の初期値はオフとされる。
【００２１】
ここで、無料情報には、位置表示杭１が配置された地点を通る道路の横断面上に埋設物が存在するかどうかを表す埋設物有無と、当該横断面に存在する埋設物の種類（水道管、ガス管等）の一覧である埋設物一覧と、位置表示杭１が配置された地点周辺の掘り工事を行う場合に連絡すべき連絡先である掘り工事時連絡先と、位置表示杭１が配置された地点を通る道路の横断面上の埋設物についての、より詳細な情報がセンタシステム５に存在するか否かを表す詳細情報有無が含まれる。
【００２２】
次に、図３ｂに、センタシステム５の埋設物データベース５２に蓄積される埋設物データの内容を示す。
ここで、本埋設物情報提供システムでは、以上のように設置される位置表示杭１の他に、仮想位置表示杭を仮想的に設定する。図１ｂに示すように、仮想位置表示杭１５は、位置表示杭１と位置表示杭１との中央の位置に仮想的に配置する。
さて、図３ｂに戻り、埋設物データは、位置表示杭１と仮想位置表示杭１５の各杭毎に設けられた埋設物データレコードよりなる。
そして、各埋設物データレコードには、対応する位置表示杭１または仮想位置表示杭１５の識別子である杭識別子、その埋設物データレコードが位置表示杭１に対応するものである場合に、対応する位置表示杭１の両側に隣接する仮想位置表示杭１５の杭識別子が、対応位置表示杭が設置された道路上の並び順に登録される隣接仮想杭識別子、地形データ、埋設物占用データ、変更注意フラグ、その埋設物データレコードが位置表示杭１に対応するものである場合に登録される、当該対応する位置表示杭１に記憶する無料情報、無料情報未更新フラグとが含まれる。ここで、変更注意フラグはオンとオフの値をとることができ、対応する位置表示杭１設置時の初期値はオフとされる。また、無料情報未更新フラグはオンとオフの値をとることができ、埋設物データレコードに登録された無料情報が、対応する位置表示杭１の記憶装置１１に、まだ書き込まれていない場合に、その値がオンとされ、埋設物データレコードに登録された無料情報が、対応する位置表示杭１の記憶装置１１に書き込まれた時点で、その値がオフとされる。なお、仮想位置表示杭１５に対応する埋設物データレコードは、無料情報、変更注意フラグ、無料情報未更新フラグ、隣接仮想杭識別子を備えていなくてもよい。
【００２３】
次に、地形データには、対応する位置表示杭１または仮想位置表示杭１５の設置位置の官民境からの道路横断方向の水平距離を表す官民境距離、対応する位置表示杭１または仮想位置表示杭１５の設置箇所の歩道の道路横断方向の勾配を表す歩道勾配、対応する位置表示杭１または仮想位置表示杭１５の設置箇所の歩道の道路横断方向の幅を表す歩道幅員、対応する位置表示杭１または仮想位置表示杭１５の設置箇所の歩道と車道の段差の高さを表す下がり、対応する位置表示杭１または仮想位置表示杭１５の設置箇所の車道の道路横断方向の勾配を表す車道勾配、対応する位置表示杭１または仮想位置表示杭１５の設置箇所の車道の中央線より、対応する位置表示杭１または仮想位置表示杭１５の設置側の部分の幅を表す車道半幅員とが登録される。なお、仮想位置表示杭１５に対応する埋設物データレコードの地形データの官民境距離には０を登録する。
【００２４】
次に、埋設物占用データには、対応する位置表示杭１または仮想位置表示杭１５を通る道路横断面に存在する各埋設物について、埋設物の種類（通信線、ガス管、水道管、下水管、電力線）と、埋設物の官民境からの距離を表す占用位置と、埋設物が設置されている地表からの深さを表す埋設深さと、埋設物の規模（配管の直径や、配管の種類など）を表す規模が登録される。
【００２５】
以下、このような埋設物情報提供システムの動作について、図４を用いて説明する。
まず、移動電話機３と携帯端末２を所持して現場に赴いたユーザは、埋設物の埋設状況を知りたい地点近傍の位置表示杭１を見つけ、携帯端末２のアンテナ２１を位置表示杭１に近づけて、入力部２５より杭情報のリードを指示する。入力部２５が杭情報のリードの指示を受けると記憶装置ドライバ２３は、送受信部２２を介して位置表示杭１より杭情報をリードする（４０２）。また、携帯端末２の埋設物データ処理部２７は、記憶装置ドライバ２３が読み込んだ杭情報に含まれる無料情報を表示部２４に表示する（４１０）。また、杭情報に含まれる変更フラグがオンである場合には、無料情報の内容が現況と一致していない可能性があることを通知するメッセージを併せて表示部２４に表示する。
【００２６】
さて、この無料情報を取得したユーザは、この無料情報より、埋設物の有無や埋設されている埋設物の種類や、この箇所で掘り工事を行う場合に連絡することが必要となる連絡先の情報を得ることができる。
また、もし、ユーザが、この地点についての埋設物についてのより詳細な情報が必要である場合には、表示された無料情報の詳細情報有無を確認し、詳細情報有無がセンタシステム５に詳細情報が存在していることを示している場合には、この詳細情報を取得すべく、入力部２５から詳細情報取得の指示を入力する（４１２）。ここで、この詳細情報有無は、その位置表示杭１に対応する埋設物データレコードがセンタシステム５の埋設物データベース５２に存在する場合にオンとされ、対応する埋設物データレコードがセンタシステム５の埋設物データベース５２に存在しない場合にはオフとされる。そして、位置表示杭１の設置時の、この詳細情報有無の初期値は、対応する埋設物データレコードがセンタシステム５の埋設物データベース５２に存在するかどうかに応じて設定される。
【００２７】
さて、入力部２５から詳細情報取得の指示が入力すると、携帯端末２のデータ取得クライアント２６は、近距離無線通信部２８、移動電話機３を制御して、センタシステム５にアクセスし、読み込んだ杭情報に含まれる杭識別子を含めた詳細情報取得要求を発行する（４３２）。
【００２８】
この詳細情報取得要求を通信装置５１を介して受けたセンタシステム５の埋設物データサーバ５３は、埋設物データベース５２から、詳細情報取得要求に含まれる杭識別子を持つ埋設物データレコードを検索する（４６２）。また、検索した埋設物データレコードの隣接仮想杭識別子に登録された二つの杭識別子を持つ、二つの埋設物データレコードを検索する。そして、最初に検索した、詳細情報取得要求に含まれる杭識別子を持つ埋設物データレコードの、無料情報未更新フラグを調べ（４５２）、無料情報未更新フラグがオフであれば、検索した３つの埋設物データレコードの地形データと埋設物占用データと変更注意フラグを、対応する位置表示杭１が設置された道路上の並び順（たとえば、車道から歩道を見て左側の仮想位置表示杭１５に対応する埋設物データレコード、位置表示杭１に対応する埋設物データレコード、右側の仮想位置表示杭１５に対応する埋設物データレコードの順）に含めた情報を詳細情報として、詳細情報取得要求元の携帯端末２に送信する（４３４）。また、課金処理部５５に、情報の提供の内容を通知し、詳細情報取得要求元の携帯端末２のユーザに対する課金処理を行わせる（４５４）。
【００２９】
この詳細情報を受け取った携帯端末２のデータ取得クライアント２６は、埋設物データ処理部２７に、この詳細情報の提示処理を依頼する。依頼を受けた埋設物データ処理部２７は、図５ａに示すように詳細情報が示す埋設物の埋設状況を表示部２４に表示する（４１４）。
【００３０】
すなわち、携帯端末２で杭情報を読み込んだ位置表示杭１の設置箇所の道路横断模式図用の表示ウインドウ５０１と、携帯端末２で杭情報を読み込んだ位置表示杭１に隣接する二つの仮想位置表示杭１５の設置箇所の道路横断模式図用の二つの表示ウインドウ５０２、５０３とを設け、各ウインドウ上部に設けたタブのユーザの選択に応じてウインドウを切替表示する。また、携帯端末２で杭情報を読み込んだ位置表示杭１に隣接する二つの仮想位置表示杭１５の設置箇所の道路横断模式図用の二つの表示ウインドウ５０２、５０３のうち、車道から歩道を見たときに左側となる仮想位置表示箇所に対するウインドウ５０２には、「１０ｍ下り横断図」、右側となる仮想位置表示箇所に対するウインドウ５０３には、「１０ｍ上り横断図」などのタイトルを与えて表示することにより、各ウインドウに表示される道路横断模式図に対応する横断面と、携帯端末２で杭情報を読み込んだ位置表示杭１との位置関係をユーザが把握できるようにする。
【００３１】
さて、各ウインドウ中には、受信した詳細情報に含まれる、そのウインドウに対応する位置表示杭１または仮想位置表示杭１５に対応する埋設物データレコードから抽出された地形データと埋設物占用データに基づいて、道路横断模式図を表示する。
図示するように、道路横断模式図は、埋設物占用データに情報が含まれる各埋設物を各々表すマーク５１１を、埋設物占用データが示す占用位置の小さい順に右から左に配置した図である。ここで、各埋設物を各々表すマーク５１１としては、埋設物占用データが示す埋設物の種類毎に異なる図形を用いる。また、このマーク５１１は、埋設物占用データが示す規模に応じた大きさで、道路横断模式図中に配置する。また、このマーク５１１は、埋設物占用データが示す埋設深さが大きいものほど、その中心が下の位置となるように配置する。
【００３２】
また、道路横断模式図は、以上のように配置した各マーク５１１の上に、地形データが表す歩道と車道の地表面形状を表す線図５１２と、官民境を表す垂直線５１３と、この官民境を表す垂直線５１３と各埋設物を表すマークとの間の水平方向の寸法線５１５上に、埋設物占用データの占用位置が表す官民境からの距離を数値で示したものとなっている。また、各埋設物を表すマークの下に、埋設物占用データの埋設深さが示す埋設物の地表よりの深さを数値で示したものとなっている。
【００３３】
また、この道路横断模式図には、位置表示杭１を表す図形５１４も、埋設物を表すマーク５１１ともに表示される。なお、位置表示杭１を表す図形５１４と、埋設物を表すマーク５１１との水平方向の並びの順は、官民境からの水平方向距離に従った順序とされる。なお、位置表示杭１の官民境からの距離は地形データの官民境距離より求まる。
【００３４】
そして、この道路横断模式図では、歩道と車道の地表面形状を表す線図５１２は、歩道下にある埋設物を表すマーク５１１が線図５１２の歩道部分の下に、車道下にある埋設物を表すマーク５１１が線図５１２の車道部分の下に表されるよう、その歩道部分、車道部分の長さを定めたものである。
【００３５】
以上のように、本実施形態でユーザに埋設物の詳細情報として提示する道路横断模式図は、官民境を基準として位置表示杭１または仮想位置表示杭１５を通る道路横断面における各埋設物の水平方向の配置を模式的に示し、地表を基準として位置表示杭１または仮想位置表示杭１５を通る道路横断面における各埋設物の垂直方向の配置を模式的に表した図となっている。すなわち、たとえば、図１ｂにおいて、現場でユーザが携帯端末２を用いて、位置表示杭ｘの杭情報を読み込んで詳細情報取得要求をセンタシステム５に発行すると、ユーザの携帯端末２において、この位置表示杭ｘを通る道路横断面ＡＡ上における埋設物の配置と、この位置表示杭ｘの道路沿いに１０ｍ手前の位置（仮想位置表示杭ｙの位置）の道路横断面ＢＢ上における埋設物の配置と、この位置表示杭ｘの道路沿いに１０ｍ先の位置（仮想位置表示杭ｚの位置）の道路横断面ＣＣ上における埋設物の配置との情報が、それぞれ道路横断模式図としてユーザに対して提供されることになる。
【００３６】
さて、図４に戻り、現場において位置表示杭設置地点で埋設物の工事を行って埋設物の埋設状況を変化させた場合（４１６）、ユーザは、携帯端末２のアンテナ２１を位置表示杭１に近づけ、携帯端末２の入力部２５から、変更設定指示を入力する（４１８）。変更設定指示が入力されると、埋設物データ処理部２７は、記憶装置ドライバ２３、送受信部２２、アンテナ２１を介して位置表示杭１の記憶装置１１にアクセスし、記憶装置１１の杭情報を読み込むと共に、記憶装置１１に記憶されている杭情報の変更フラグをオンに設定する（４０４）。また、埋設物データ処理部２７は、近距離無線通信部２８、移動電話機３を制御して、センタシステム５にアクセスし、位置表示杭１から読み込んだ杭情報に含まれる杭識別子を含めた変更注意フラグ設定要求を発行する（４３６）。
【００３７】
センタシステム５において、この変更注意フラグ設定要求は、埋設物データサーバ５３から、埋設物データ更新処理部５４に送られる。そして、変更注意フラグ設定要求を受け取った、埋設物データ更新処理部５４は、変更注意フラグ設定要求に含まれる杭識別子を持つ埋設物データレコードを検索し、検索した埋設物データレコードの変更注意フラグをオンに設定する（４６４）。
【００３８】
さて、この変更注意フラグは、前述のように携帯端末２からの詳細情報取得要求の応答として詳細情報に含められた形態で携帯端末２に返信される。
そして、携帯端末２は、詳細情報取得要求の応答として受け取った詳細情報に含まれる変更注意フラグがオンに設定されている場合には、受け取った詳細情報に基づく道路横断模式図を表示する際に、図５ｂに示すように、道路横断模式図として表示している埋設物の配置情報が現況と異なるものである旨のメッセージ５５０を併せて表示する。
【００３９】
これにより、埋設物の配置状況が変化した後に、当該変化がセンタシステム５の埋設物データベース５２に反映されるまでの間においてセンタシステム５から提供される古い詳細情報が示す埋設物の配置状況が、現在の埋設物の配置を正しく示すものと、ユーザが誤って認識してしまうことを排除することができる。また、前述のように、携帯端末２は、杭情報に含まれる変更フラグがオンである場合には、無料情報をユーザに対して提示する際に、無料情報の内容が現況と一致していない可能性があることを通知するメッセージを併せて表示部２４に表示するので、埋設物の配置状況が無料情報が示す埋設物の配置概要が示す状況と異なる状況に変化した後に、当該変化が位置表示杭１の杭情報に反映されるまでの間に杭情報が読み出されユーザに対して表示された場合に、当該杭情報の無料情報が示す埋設物の配置概要が、現在の埋設物の配置概要を正しく示すものと、ユーザが誤って認識してしまうことを排除することができる。
【００４０】
さて、一方でセンタシステム５の運営者は、変更注意フラグがオンに設定されている埋設物データレコードを検索することにより、この埋設物データレコードに対応する位置表示杭１の設置地点を、対応する埋設物データレコードのデータ更新の作業が必要な地点として抽出することができるようになる。
【００４１】
さて、センタシステム５の運営者は、埋設物データ更新処理部５４を介して、変更注意フラグがオンに設定されている埋設物データレコードの内容を、正しく現在の現況に一致するように更新することができる。そして、このような更新を行うときには、更新した埋設物データレコードの変更注意フラグをオフに設定する共に、無料情報未更新フラグをオンに設定する（４８２）。また、センタシステム５の運営者は、位置表示杭１の記憶装置１１に記憶させている無料情報を更新する必要がある場合には、その位置表示杭１に対応する埋設物データレコードの無料情報を更新後の無料情報に書き換えると共に、無料情報未更新フラグをオンに設定する。無料情報の更新は、位置表示杭１の記憶装置１１に記憶させている無料情報と埋設物の現況が一致しなくなった場合に無料情報を埋設物の現況と一致させるために行われる。また、位置表示杭１に対応する埋設物データレコードが埋設物データベース５２に含まれていなかった場合に、この埋設物データレコードを新たに埋設物データベース５２に格納する場合には、この埋設物データレコード中の無料情報中の詳細情報有無をオンとすると共に、この埋設物データレコード中の無料情報未更新フラグをオンに設定するようにする。
【００４２】
さて、前述のようにユーザの杭情報のリード指示に応じて携帯端末２において杭情報をリードし（４０６）、ユーザに無料情報を表示（４２０）した後に、ユーザの詳細情報取得の指示があると（４２２）、携帯端末２は詳細情報取得要求（４３８）を発行する。そして、この詳細情報取得要求を受け取った埋設物データサーバ５３は、詳細情報取得要求に含まれる杭識別子を持つ埋設物データレコードを検索し（４６６）、検索した埋設物データレコードの無料情報未更新フラグがオンに設定されている場合には（４５６）、上述した詳細情報の返信と共に、検索した埋設物データレコードに含まれる無料情報を含めた無料情報更新要求を、詳細情報取得要求発行元の携帯端末２に発行する（４４０）。また、この携帯端末２のユーザに対する課金を行う（４５８）。
【００４３】
詳細情報と、無料情報更新要求を受けた携帯端末２の埋設物データ処理部２７は、上述のように詳細情報に基づいた埋設物配置模式図の表示を行う（４２４）他、記憶装置ドライバ２３、送受信部２２、アンテナ２１を介して位置表示杭１の記憶装置１１にアクセスし、記憶装置１１に記憶されている杭情報中の無料情報を、無料情報更新要求に含まれる無料情報に書き換えると共に、杭情報中の変更フラグをオフに設定する（４０８）処理を行う。そして、無料情報更新成功をセンタシステム５に報告する（４４２）。
【００４４】
一方、センタシステム５において、この報告を埋設物データサーバ５３を介して受け取った埋設物データ更新処理部５４は、先にこの携帯端末２から受領した詳細情報取得要求に含まれる杭識別子を持つ埋設物データレコードの無料情報未更新フラグをオフに設定する（４６８）。
【００４５】
このようにすることにより、埋設物情報の利用者であるユーザの携帯端末２を利用した位置表示杭１の記憶装置１１に記憶されている杭情報のセンタシステム５からのリモート更新が実現される。
以上、本発明の実施形態に係る埋設物情報提供システムの動作について説明した。
ところで、以上では、センタシステム５の埋設物データベース５２に、位置表示杭１や仮想位置表示杭１５の各々毎に、予め、対応する道路横断面上の埋設物の配置を示す埋設物データレコードを設けたが、この埋設物データレコードは、携帯端末２からの詳細情報取得要求受領時に動的に生成するようにしてもよい。
【００４６】
すなわち、図６に示すように、センタシステム５の埋設物データベース５２に、三次元座標系で道路の形状配置を示す道路地図データと、三次元座標系で埋設物の形状配置を示す、各埋設物の種類毎の三次元の地図データを記憶するようにすると共に、携帯端末２から位置表示杭１の設置地点の座標を含めて詳細情報取得要求を発行するようにし、センタシステム５に設けた配信データ編集部５６において、携帯端末２から詳細情報取得要求を受け取ったときに、詳細情報取得要求に含まれる座標を通る道路横断面上の地表面形状や各埋設物の配置を、以上の各データより算出し、これを携帯端末２に詳細情報として返信するようにしてもよい。
【００４７】
また、以上の実施形態では、位置表示杭１から無料情報としてユーザに提供する情報やセンタシステム５からユーザに提供する情報として、埋設物の埋設状況の情報を提供したが、位置表示杭１から無料情報としてユーザに提供する情報やセンタシステム５からユーザに提供する情報は、任意の情報であってよい。たとえば、携帯端末２が杭情報を読み取った位置表示杭１周辺の地理情報や店舗情報などを、位置表示杭１からの無料情報やセンタシステム５からの詳細情報として、ユーザに提供するようにしてかまわない。
【図面の簡単な説明】
【００４８】
【図１】本発明の実施形態に係る埋設物情報提供システムの構成を示すブロック図である。
【図２】本発明の実施形態に係るセンタシステムと携帯端末の内部構成を示すブロック図である。
【図３】本発明の実施形態に係る位置表示杭に記憶する杭情報とセンタシステムの埋設物データベースに蓄積する埋設物データを示す図である。
【図４】本発明の実施形態に係る埋設物情報提供システムの動作例を示すシーケンス図である。
【図５】本発明実施形態に係る携帯端末の埋設物情報の表示例を示す図である。
【図６】本発明の実施形態に係るセンタシステムの他の構成例を示すブロック図である。
【符号の説明】
【００４９】
１…位置表示杭、２…携帯端末、３…移動電話機、４…ＷＡＮ、５…センタシステム、１１…記憶装置、１５…仮想位置表示杭、２１…アンテナ、２２…送受信部、２３…記憶装置ドライバ、２４…表示部、２５…入力部、２６…データ取得クライアント、２７…埋設物データ処理部、２８…近距離無線通信部、５１…通信装置、５２…埋設物データベース、５３…埋設物データサーバ、５４…埋設物データ更新処理部、５５…課金処理部。
【図１】
2006106308.tif 000003
【図２】
2006106308.tif 000004
【図３】
2006106308.tif 000005
【図４】
2006106308.tif 000006
【図５】
2006106308.tif 000007
【図６】
2006106308.tif 000008